(57)【要約】      （修正有）【課題】収納性・携帯性に優れた折畳み可能な構成であって、しかも飲料の美味しさを損なうことなく抽出が可能な飲料抽出器を提供する。【解決手段】抽出本体部２がシリコーンその他の可撓性材料により漏斗状に成形され、収納時や不使用時に蛇腹状に折畳み可能な飲料抽出器１において、抽出本体部は、複数段２０を有し、蛇腹状に折畳むための円形ないし楕円形の折畳み線部２２が漏斗状の内壁面に沿って一つ乃至は複数設けられており、折畳み線部が設けられた部分が、漏斗状の外壁面に段差部又は凹条部２４を形成すると共に内壁面に段差部又は凹条部を設けることなく略平滑面状に形成することによって注出本体部の他の部分よりも薄肉成形された構成である。【選択図】図１
2016120265.tif 000002
【特許請求の範囲】
【請求項１】
抽出本体部がシリコーンその他の可撓性材料により漏斗状に成形され、収納時や不使用時に蛇腹状に折畳み可能な飲料抽出器において、
前記抽出本体部は、複数段を有し、蛇腹状に折畳むための円形ないし楕円形の折畳み線部が漏斗状の内壁面に沿って一つ乃至は複数設けられており、
前記折畳み線部が設けられた部分が、漏斗状の外壁面に段差部又は凹条部を形成すると共に内壁面に段差部又は凹条部を設けることなく略平滑面状に形成することによって注出本体部の他の部分よりも薄肉成形された構成であること、
を特徴とする飲料抽出器。
【請求項２】
蛇腹状に折畳み可能な抽出本体部の各段の内、最上段を除く段の漏斗状の内壁面の傾斜が使用状態の際に直線状となる構成であることを特徴とする請求項１に記載の飲料抽出器。
【請求項３】
前記最上段の内壁面の傾斜が、水平面に対して９０〜１００度の範囲であることを特徴とする請求項２に記載の飲料抽出器。
【請求項４】
前記折畳み線部の厚みが、前記抽出本体部の他の部分の厚みの３分の１以下であることを特徴とする請求項１〜３のいずれかに記載の飲料抽出器。
【請求項５】
前記折畳み線部の厚みが、１ｍｍ以下であることを特徴とする請求項１〜４のいずれかに記載の飲料抽出器。
【請求項６】
前記可撓性材料がシリコーン樹脂であることを特徴とする請求項１〜５のいずれかに記載の飲料抽出器。
【請求項７】
前記飲料抽出器の漏斗状の内壁面に複数本の筋条突起が設けられており、この筋条突起が抽出口に向かって次第に高くなる構成であることを特徴とする請求項１〜６のいずれかに記載の飲料抽出器。
【請求項８】
前記飲料抽出器の漏斗状の部分が平面視した際に、円形又は楕円形であることを特徴とする請求項１〜７のいずれかに記載の飲料抽出器。
【請求項９】
前記飲料抽出器の底部に飲料抽出孔が２個以上設けられると共に、該飲料抽出孔の各々に個別に着脱可能な閉塞栓が用意されており、
任意の飲料抽出孔に前記閉塞栓を取り付けて飲料抽出孔の個数を変えることにより飲料の抽出速度の調整可能な構成であること、
を特徴とする請求項１〜８のいずれかに記載の飲料抽出器。
【請求項１０】
前記閉塞栓が、不使用時に飲料抽出器の抽出に影響しない部分に仮止固定可能な構成であることを特徴とする請求項９に記載の飲料抽出器。
【請求項１１】
前記閉塞栓がシリコーンその他の可撓性材料で形成されていることを特徴とする請求項９又は１０に記載の飲料抽出器。
【発明の詳細な説明】
【技術分野】
【０００１】
本発明は飲料抽出器に関し、詳しくはコーヒードリッパーに代表されるドリップ抽出式の飲料抽出器に関する。
【背景技術】
【０００２】
代表的な飲料抽出器の内、一般的なコーヒー用のドリッパーは、陶磁器製や硬質プラスチック製、或いは耐熱ガラス製から成る漏斗状の形状を有し、使用に際しては台座部をコーヒーポットやコーヒーカップの上に載置し、漏斗状の本体部の内側に沿ってペーパーフィルターをセットし、このペーパーフィルター内に挽いた豆を入れた後、湯を注いで抽出するものである。
【０００３】
上記した一般的なドリッパーは、その本体部が抽出用のペーパーフィルターの形状に合わせた漏斗状に成っており、台座部がコーヒーポットやコーヒーカップの口縁上に安定して載置するために鍔状に成っており、かかる形状が前述したように陶磁器製・硬質プラスチック製・耐熱ガラス製等の硬質材料によって一体成形されている。
【０００４】
従って、積み重ね収納ができずに嵩張る形状を有しているだけでなく、コーヒー等の飲料を抽出する時しか使用されない専用品であるために、収納性の点で問題があった。
【０００５】
そこで漏斗状の本体部を蛇腹状に折畳み可能な構成とすることによって収納性を改善した技術が提案された（例えば、特許文献１，２等参照）。
【先行技術文献】
【特許文献】
【０００６】
【特許文献１】特許第２９３５１６９号
【特許文献２】特開昭６１−８０１６号
【発明の概要】
【発明が解決しようとする課題】
【０００７】
特許文献１に記載の技術は、抽出器の本体部をポリプロピレン製の蛇腹構造とすることにより折畳み可能な構成として、収納性・携帯性を改善させたものである。
【０００８】
特許文献２に記載の技術は、抽出器の本体部を医療用ゴム材等を用いた蛇腹構造とすることにより折畳み可能な構成として、携帯可能なものとしている。
【０００９】
しかしこれらの技術は、折畳み可能とすることによるコンパクト化のみに主眼が置かれており、飲料抽出器として美味しい飲料を抽出することへの配慮が疎かになってしまっている。
【００１０】
上記特許文献１及び２に記載の技術について本発明者が検討したところ、抽出器の本体部にフィルターをセットして挽いた豆を入れて湯を注いだ際に湯廻りが均一にならないことが判明した。これは、本体部を折畳み可能な構成としたために、本体部の蛇腹構造によって漏斗状の内壁面に一つ乃至は複数の段差が形成されているため、この段差によってフィルターが前記内壁面に不均一に密着してしまうことが原因であることを突き止めた。
【００１１】
そこで本発明の課題は、収納性・携帯性に優れた折畳み可能な構成であって、しかも飲料の美味しさを損なうことなく抽出が可能な飲料抽出器を提供することにある。
【課題を解決するための手段】
【００１２】
上記課題を解決する本発明は下記構成を有する。
【００１３】
１．抽出本体部がシリコーンその他の可撓性材料により漏斗状に成形され、収納時や不使用時に蛇腹状に折畳み可能な飲料抽出器において、
前記抽出本体部は、複数段を有し、蛇腹状に折畳むための円形ないし楕円形の折畳み線部が漏斗状の内壁面に沿って一つ乃至は複数設けられており、
前記折畳み線部が設けられた部分が、漏斗状の外壁面に段差部又は凹条部を形成すると共に内壁面に段差部又は凹条部を設けることなく略平滑面状に形成することによって注出本体部の他の部分よりも薄肉成形された構成であること、
を特徴とする飲料抽出器。
【００１４】
２．蛇腹状に折畳み可能な抽出本体部の各段の内、最上段を除く段の漏斗状の内壁面の傾斜が使用状態の際に直線状となる構成であることを特徴とする上記１に記載の飲料抽出器。
【００１５】
３．前記最上段の内壁面の傾斜θ１が、水平面に対して９０〜１００度の範囲であることを特徴とする上記２に記載の飲料抽出器。
【００１６】
４．前記折畳み線部の厚みが、前記抽出本体部の他の部分の厚みの３分の１以下であることを特徴とする上記１〜３のいずれかに記載の飲料抽出器。
【００１７】
５．前記折畳み線部の厚みが、１ｍｍ以下であることを特徴とする上記１〜４のいずれかに記載の飲料抽出器。
【００１８】
６．前記可撓性材料がシリコーン樹脂であることを特徴とする上記１〜５のいずれかに記載の飲料抽出器。
【００１９】
７．前記飲料抽出器の漏斗状の内壁面に複数本の筋条突起が設けられており、この筋条突起が抽出口に向かって次第に高くなる構成であることを特徴とする上記１〜６のいずれかに記載の飲料抽出器。
【００２０】
８．前記飲料抽出器の漏斗状の部分が平面視した際に、円形又は楕円形であることを特徴とする上記１〜７のいずれかに記載の飲料抽出器。
【００２１】
９．前記飲料抽出器の底部に飲料抽出孔が２個以上設けられると共に、該飲料抽出孔の各々に個別に着脱可能な閉塞栓が用意されており、
任意の飲料抽出孔に前記閉塞栓を取り付けて飲料抽出孔の個数を変えることにより飲料の抽出速度の調整可能な構成であること、
を特徴とする上記１〜８のいずれかに記載の飲料抽出器。
【００２２】
１０．前記閉塞栓が、不使用時に飲料抽出器の抽出に影響しない部分に仮止固定可能な構成であることを特徴とする上記９に記載の飲料抽出器。
【００２３】
１１．前記閉塞栓がシリコーンその他の可撓性材料で形成されていることを特徴とする上記９又は１０に記載の飲料抽出器。
【発明の効果】
【００２４】
請求項１に示す発明によれば、収納性・携帯性に優れた折畳み可能であって、しかも飲料の美味しさを損なうことなく抽出が可能な飲料抽出器を提供することができる。
【００２５】
特に、蛇腹状に折畳むための折畳み線部が設けられた部分の内壁面に段差部又は凹条部がなく略平滑面状に形成される構成によって、内壁面へのフィルターの不均一な密着を抑制することができるため、フィルター内に入れられた挽いた豆に湯を注いだ際に均一な湯廻りでの抽出が可能となる。従って、収納性・携帯性に優れていると共に、豆の美味しさを損なうことなく飲料の抽出が可能である。
【００２６】
請求項２に示す発明によれば、フィルター内の挽いた豆中を通る湯の均一且つ円滑な湯廻りでの抽出が可能となるため、豆の美味しさをより際立たせた抽出が可能となる。
【００２７】
請求項３に示す発明によれば、最上段の部分がこれより下段の部分よりも起立した状態となるので、飲料抽出器の上部に対して手指で下方に押圧して蛇腹状に折畳む際に、最上段の部分に対して下方への押圧力が確実に伝達されることになるため、より円滑且つ容易に蛇腹状に折畳むことができる。
【００２８】
請求項４に示す発明によれば、折畳み線部の位置で円滑に折畳むことができる。
【００２９】
請求項５に示す発明によれば、折畳み線部の位置で極めて円滑に折畳むことができる。
【００３０】
請求項６に示す発明によれば、滑り難い特性を有するシリコーン樹脂で形成されているため、滑り防止加工を考慮する必要がなく、ドリッパーやカップに安定した状態で載置することができる。更に、シリコーン樹脂は熱伝導性が低いため、湯を注いだ抽出直後であってもドリッパーやカップから飲料抽出器を素手で持つことができる。
【００３１】
請求項７に示す発明によれば、フィルター内の挽いた豆中を通る湯の均一且つ円滑な湯廻りでの抽出が可能となるため、豆の美味しさをより際立たせた抽出が可能となる。
【００３２】
請求項８に示す発明によれば、円形の場合には円錐形のペーパーフィルターに対応することができ、楕円形の場合には拡開する扇形のペーパーフィルターに対応することができる。
【００３３】
請求項９に示す発明によれば、閉塞栓の着脱だけで飲料抽出孔の個数を変えることができるので極めて容易にドリップ形式の変更による抽出調整が可能である。
例えば、飲料抽出孔が３個設けられた態様の場合、閉塞栓を用いることなく３個孔のまま抽出を行えば、３つ孔タイプのドリップ形式の抽出を行うことができ、３個の飲料抽出孔の内の２個に閉塞栓を取付けて閉塞して１個孔の抽出を行えば、１つ孔タイプのドリップ形式の抽出を行うことができる。即ち、取付ける閉塞栓の数を変えることにより一つの飲料抽出器で複数種類のドリップ形式の抽出が可能となる。
また、３個の飲料抽出孔の全てに閉塞栓を取付けて閉塞すれば、飲料抽出器をカップとして用いることもできる。
【００３４】
請求項１０に示す発明によれば、使用していない閉塞栓を飲料抽出器の台座部や漏斗状の抽出本体部の縁等の注出に影響しない部分に取付けておくことにより、閉塞栓の紛失を防ぐことができる。また、閉塞栓として飲料抽出孔の数よりも多く用意しておき、この多い閉塞栓を予備として取付けておくことにより、閉塞栓の紛失に対応することもできる。
【００３５】
請求項１１に示す発明によれば、シリコーン樹脂は滑り難い特性を有しているため閉塞栓の取扱時に該閉塞栓・飲料抽出器・手指等が濡れている場合であっても取扱性にすぐれている。また、耐熱性が高いため劣化や損傷等が生じ難く長寿命である。更に、閉塞栓と飲料抽出器の両方をシリコーン樹脂で形成した構成となるので、閉塞した部分の液密性が極めて高く、極めて簡易な構成でより完全な閉塞が可能となる。
【図面の簡単な説明】
【００３６】
【図１】本発明に係る飲料抽出器の一実施例を示す５面図（（ａ）が平面図、（ｂ）が正面図、（ｃ）が左側面図、（ｄ）が底面図、（ｅ）がＡ−Ａ断面図）
【図２】図１に示す飲料抽出器の折畳み状態を示す５面図（（ａ）が平面図、（ｂ）が正面図、（ｃ）が左側面図、（ｄ）が底面図、（ｅ）がＢ−Ｂ断面図）
【図３】図１に示す飲料抽出器の使用状態の一例を示す正面図
【図４】本発明に係る飲料抽出器の他の実施例を示す５面図（（ａ）が平面図、（ｂ）が正面図、（ｃ）が左側面図、（ｄ）が底面図、（ｅ）がＡ−Ａ断面図）
【図５】図４に示す飲料抽出器の折畳み状態を示す５面図（（ａ）が平面図、（ｂ）が正面図、（ｃ）が左側面図、（ｄ）が底面図、（ｅ）がＢ−Ｂ断面図）
【図６】本発明に用いられる閉塞栓の一例を示す３面図（（ａ）が平面図、（ｂ）が正面図（背面図、左側面図、右側面図の各々と同一）、（ｃ）が底面図）
【図７】飲料抽出孔の閉塞構成の他の例を示す断面図
【図８】飲料抽出孔の閉塞構成の更に他の例を示す断面図
【発明を実施するための形態】
【００３７】
次に、添付の図面に従って本発明を詳細に説明する。
【００３８】
本発明に係る飲料抽出器は、コーヒードリッパーに代表されるドリップ抽出式の飲料抽出器であり、下記の実施例は飲料抽出器として最も一般的なコーヒードリッパーを挙げて説明する。
【００３９】
本発明の具体的な構成としては、例えば、図１〜図３に示す実施例では、
抽出本体部２がシリコーンその他の可撓性材料により漏斗状に成形され、収納時や不使用時に蛇腹状に折畳み可能な飲料抽出器１において、
抽出本体部２は、複数段を有し、蛇腹状に折畳むための円形ないし楕円形の折畳み線部２２が漏斗状の内壁面２１に沿って一つ乃至は複数（本実施例では二つ）設けられており、
前記折畳み線部２２が設けられた部分が、漏斗状の外壁面２３に段差部又は凹条部２４を形成すると共に内壁面２１に段差部又は凹条部を設けることなく略平滑面状に形成することによって抽出本体部２の他の部分よりも薄肉成形され、
蛇腹状に折畳み可能な抽出本体部２の各段２０（２０Ａ・２０Ｂ・２０Ｃ）の内、最上段２０Ａを除く段２０Ｂ・２０Ｃの漏斗状の内壁面２１の傾斜が使用状態の際に直線状となる構成であり、
更に、前記最上段２０Ａの内壁面２１の傾斜θ１が、水平面に対して９０〜１００度の範囲（本実施例は９８度）であること、
を主構成とする。
【００４０】
図１〜図３において、符号２５は、濡れたフィルター４が内壁面２１に密着するのを防ぐことにより抽出経路を確保するため設けられた複数本の筋条突起を示し、また符合３は、飲料抽出器１をコーヒーカップ５（コーヒーポット等であってもよい。）の口縁上に載置するための台座部を示し、符号６は非使用時に台所・厨房等の収納壁等に掛止することができる掛止孔を示す。
【００４１】
次に、各構成について更に詳説する。
【００４２】
抽出本体部２は、形成される材料が有する可撓性によって薄肉成形された折畳み線部２２の部分で折畳まれることによって、図２に示すように蛇腹状にコンパクトに折畳むことができる。従って、収納性や携帯性に優れている。
【００４３】
抽出本体部２の折畳みに際しては、飲料抽出器１を上下から手で挟むように圧力付加する。この圧力付加が、外壁面２３に段差部又は凹条溝２４を設けることによって薄肉成形された折畳み線部２２に集中して掛かることになり、この圧力付加に屈することで折畳み線部２２に沿って抽出本体部２が折れ曲がって折畳まれることになる。
【００４４】
特に、本実施例のように、最上段２０Ａの内壁面２１の傾斜θ１を水平面に対して９０〜１００度の範囲（本実施例は９８度）とすることによって、最上段２０Ａがこれより下の段２０Ｂ・２０Ｃよりも起立した状態となるので、飲料抽出器１の上部に対して手指で下方に押圧して蛇腹状に折畳む際に、最上段２０Ａの部分に対して下方への押圧力が確実に伝達されることになるため、より円滑且つ容易に蛇腹状に折畳むことができる。
【００４５】
折畳み線部２２の厚みとしては、（１）抽出本体部２の他の部分の厚みの３分の１以下であること、又は、（２）１ｍｍ以下であること、のいずれかであることが好ましく、前記（１）と（２）の両方であることがより好ましい。
【００４６】
本発明の飲料抽出器１として、例えば、２カップ容量サイズのコーヒードリッパーであって、飲料抽出器１をシリコーン樹脂による一体成形とした場合、折畳み線部２２を除く抽出本体部２の厚みを４ｍｍ、薄肉成形された折畳み線部２２の最も薄い部分の厚みを０．５ｍｍ、台座部３の厚みを４ｍｍ、筋条突起２５の厚みを１．５ｍｍ、という態様を好ましい例として挙げることができる。
【００４７】
本発明の飲料抽出器１を構成する材料としては、前述したように可撓性材料であり、具体的には、シリコーン樹脂、ポリプロピレン樹脂、ポリエチレン樹脂等の可撓性合成樹脂材料等を挙げることができ、中でもシリコーン樹脂が耐熱性に優れる等の点で特に好ましく、耐熱温度が−６０℃乃至は−４０℃から＋２２０℃乃至は＋２７０℃のシリコーン樹脂を用いることがとりわけ特に好ましい。
【００４８】
本発明の飲料抽出器１の漏斗状の内壁面２１に設けられている筋条突起２５は、抽出口１０に向かって次第に高くなるように構成することが好ましい。かかる構成によれば、フィルター４内の挽いた豆中を通る湯の均一且つ円滑な湯廻りでの抽出が可能となるため、豆の美味しさをより際立たせた抽出が可能となる。
【００４９】
以上の構成を有する飲料抽出器１を用いて飲料の抽出を行うには、台座部３をコーヒーポットやコーヒーカップ（図３に示す実施例ではコーヒーカップ５）の上に載置し、漏斗状の抽出本体部２の内側面２１に沿ってフィルター４をセットし、このフィルター４内に挽いた豆を入れた後、湯を注いで抽出する。
【００５０】
本発明の飲料抽出器１によれば、蛇腹状にコンパクトに折畳むことができるので収納性や携帯性に優れている上に、更に飲料の美味しさを損なうことなく抽出が可能である。
即ち、蛇腹状に折畳むための折畳み線部２２が設けられた部分の内壁面２１に段差部又は凹条部がなく略平滑面状に形成される構成によって、内壁面２１へのフィルター４の不均一な密着を抑制することができるため、フィルター４内に入れた挽いた豆に湯を注いだ際に均一な湯廻りでの抽出が可能となるので、豆の美味しさを損なうことなく飲料の抽出が可能である。
【００５１】
以上の構成を有する本発明の飲料抽出器１は、上記実施例に限定されず、本発明の範囲内において他の態様を採ることができる。
【００５２】
例えば、漏斗状の抽出本体部２はコーヒードリッパーのドリップ形式として、上記実施例では抽出穴が１つである１つ穴タイプを採用しているが、他のドリップ形式であってもよく、抽出穴が小さな１つ穴タイプ、抽出穴が直線状に３つ配置されたタイプなど、公知公用の他のドリップ形式であってもよい。
【００５３】
また上記実施例では、使用状態の際の漏斗状の内壁面２１の傾斜について、最上段２０Ａの傾斜θ１は水平面に対して９８度（最上段の好ましい範囲は９０〜１００度。）とやや起立した状態であるが、中段２０Ｂの傾斜θ２は水平面に対して１２２度、下段２０Ｃの傾斜θ３は水平面に対して１２５度とやや斜めに寝かせた状態にし、且つ略同じ角度にすることによって傾斜θ２と傾斜θ３が直線状に成る構成としたが、最上段２０Ａ・中段２０Ｂ・下段２０Ｃの全ての内壁面２１の傾斜θ１・θ２・θ３を略同じ角度にすることによって直線状となる構成も本発明に包含される。
【００５４】
尚、最上段２０Ａの傾斜θ１をやや起立した状態と、中段２０Ｂの傾斜θ２と下段２０Ｃの傾斜θ３をやや斜めに寝かせた状態にすると共に傾斜θ２と傾斜θ３が直線状に成る構成の場合と、最上段２０Ａ・中段２０Ｂ・下段２０Ｃの全ての内壁面２１の傾斜θ１・θ２・θ３を略同じ角度にすることによって直線状となる構成において、やや斜めに寝かせた状態の傾斜（θ２とθ３、又はθ１とθ２とθ３の傾斜のこと。）の好ましい範囲は１１０〜１５０度の範囲である。
【００５５】
更に上記実施例では、段２０が最上段２０Ａ、中段２０Ｂ及び最下段２０Ｃの３段から成っている場合を示しているが、５段、７段等の５段以上の奇数段であってもよい。尚、２段又は４段等の２段以上の偶数段とした場合、最上段が下方向に折畳まれる構成となるが、かかる構成についても本発明に包含される。
【００５６】
更に上記実施例では、各段２０の高さを略同じにしていたが、異なる高さとした構成を排除するものではなく、例えば、高さが高い段と低い段が交互になるように２種類の高さに構成してもよいし、下段から上段にいくに従い各段の高さが低くなるような構成や、逆に下段から上段にいくに従い各段の高さが高くなるに構成など、様々な高さに構成した場合も本発明に包含することができる。
【００５７】
更に上記実施例では、３段を折畳むことにより側面視した際に１段となるように折畳んでいるが、全ての段を折畳む構成に限らず、一部の段を残して折畳む構成や、一部の段のみ折畳む構成とすることもできる。例えば、４段構成の上３段又は下３段のいずれかを折畳むことにより１段は折畳まないことによって側面視した際に２段となるような構成や、全体を６段構成として、上３段と下３段とを別々に折畳んで側面視した際に２段となるような構成など、様々な折畳み構成とした場合も本発明に包含することができる。
【００５８】
更に上記実施例では、漏斗状の部分である注出本体部２を平面視した際の形状が楕円形である態様としていたが、円形とすることもできる。楕円形、円形のいずれかにすることによって、円形の場合には円錐形のペーパーフィルターに対応し、楕円形の場合には拡開する扇形のペーパーフィルターに対応する飲料抽出器となる。
【００５９】
更にまた、抽出する飲料としては上記実施例のコーヒーに限らず、緑茶、紅茶、ハーブティー等のようにドリップ形式によって抽出する飲料用の飲料抽出器も本発明に包含される。
【００６０】
次に、本発明に係る飲料抽出器の他の実施例について図４〜図６並びに図７、図８に基づき説明する。
【００６１】
図４〜図６に示す実施例は、飲料抽出器１の漏斗状の底部１０に３個の飲料抽出孔１１を有し、
該飲料抽出孔１１の各々に個別に着脱可能な閉塞栓１２が用意されており、
前記飲料抽出孔１１の３個の内の両外側２個の各々に前記閉塞栓１２を取り付けて飲料抽出孔１１の個数を一つに変えることにより飲料の抽出速度の調整が可能な構成であること、
を主構成とする。
尚、飲料抽出器１の上記主構成を除くその他の構成については上記実施例と同様のため説明を省略する。
【００６２】
閉塞栓１２は、上記したように飲料抽出孔１１に取り付けることにより該飲料抽出孔１２の個数を変えることができるものであり、図６に示すような鼓状の形状に形成されたものを飲料抽出孔１２に圧入して取り付けることによって液密性・閉塞性をより確実にする構成とすることが好ましく、特に閉塞栓を可撓性材料で形成することがとりわけ好ましい。尚、閉塞栓１２の形状は、図示の形状に限定されず、飲料抽出孔１１に着脱可能で且つ液密性・閉塞性を発揮する形状を有する公知公用のいずれのものであってもよい。
【００６３】
また、閉塞栓１２は、飲料抽出孔１１の個数に応じて用意され、所望のドリップ形式に応じて任意の飲料抽出孔１１を閉塞する。本実施例では、３個の飲料抽出孔１１の内の両外側２個に閉塞栓１２を取り付けることにより１つ孔タイプのドリップ形式による抽出としている。
【００６４】
更に、閉塞栓１２を構成する材料としては、可撓性材料であることが好ましく、具体的には、シリコーン樹脂、ポリプロピレン樹脂、ポリエチレン樹脂等の可撓性合成樹脂材料等を挙げることができ、中でもシリコーン樹脂が耐熱性に優れる等の点で特に好ましく、耐熱温度が−６０℃乃至は−４０℃から＋２２０℃乃至は＋２７０℃のシリコーン樹脂を用いることがとりわけ特に好ましいが、該閉塞栓１２は硬質材料製（例えば、陶磁器製、硬質プラスチック製、耐熱ガラス製、セラミックス製或いは銅製等の硬質材料）であってもよい。
【００６５】
上記構成を有する閉塞栓１２は、不使用時に飲料抽出器の抽出に影響しない部分、例えば、台座部３や抽出本体部２の上縁等の部分に仮止固定する構成とすることもできる。かかる構成によれば、使用していない閉塞栓１２の紛失を防ぐことができる。また、閉塞栓１２として飲料抽出孔１１の数より予め多く用意しておき、この多い閉塞栓１２を予備として取付けておくことにより、閉塞栓の紛失に対応することもできる。
【００６６】
以上の構成を有する飲料抽出器１を用いて飲料の抽出を行うには、上記実施例と同様に台座部３をコーヒーポットやコーヒーカップの上に載置し、漏斗状の抽出本体部２の内側面２１に沿ってフィルター４をセットし、このフィルター４内に挽いた豆を入れた後、湯を注いで抽出する。この抽出により、１つ孔形式のドリップによるコーヒーの抽出が可能となり、一般的な３つ孔形式のドリップによる抽出に比べて、抽出速度が遅く抽出時間の長い抽出となることから、より濃厚な風味のコーヒーを得ることができる。
【００６７】
以上の構成を有する図４〜図６の実施例に示す本発明の飲料抽出器１は、本発明の範囲内において他の態様を採ることができる。
【００６８】
図７及び図８に示す実施例では、３個の飲料抽出孔１１の両外側の２個に閉塞栓１２を取り付けることにより１つ孔タイプのドリップ形式の抽出を行う態様としていたが、図７に示すように閉塞栓１２を取り付けることなく３個の飲料抽出孔１１の全てを開放状態とすることにより３つ孔タイプのドリップ形式の抽出を行う態様としてもよいし、図８に示すように中央の１個の飲料抽出穴１１のみに閉塞栓１２を取り付けることにより２つ孔タイプのドリップ形式の抽出を行う態様とすることもできる。尚、飲料抽出孔１１の全てに閉塞栓１２を取り付けることにより全ての飲料抽出孔１１を閉塞すれば飲料抽出器１をカップとして利用することができ、例えば、キャンプ等の携行品としての利用価値を高めることができる。
【００６９】
更に図４、図５、図７及び図８に示す実施例では、飲料抽出孔１１の個数を３個としたが、２個又は４個以上であってもよいし、飲料抽出孔１１の配列についても上記実施例の直線配列に限らず同心円配列やランダム配列等の他の配列とすることもできる。
【符号の説明】
【００７０】
１  飲料抽出器
１０  底部
１１  飲料抽出孔
１２  閉塞栓
２  抽出本体部
２０  段
２０Ａ  最上段
２０Ｂ  中段
２０Ｃ  下段
２１  内壁面
２２  折畳み線部
２３  外壁面
２４  段差部又は凹条部
２５  筋条突起
３  台座部
４  フィルター
５  コーヒーカップ
６  掛止孔
【図１】
2016120265.tif 000003
【図２】
2016120265.tif 000004
【図３】
2016120265.tif 000005
【図４】
2016120265.tif 000006
【図５】
2016120265.tif 000007
【図６】
2016120265.tif 000008
【図７】
2016120265.tif 000009
【図８】
2016120265.tif 000010